(57)【要約】【課題】  サービス陰影地域においてデータが送受信されない場合も、ＰＴＴサーバーとＰＴＴ端末とを同期させることができ、また、小さいサイズのＲＴＣＰパケットを利用してＰＴＴサーバーとＰＴＴ端末とを同期させることができるサービス陰影地域における同期化のためのＰＴＴサービスシステム及び方法を提供する。【解決手段】  発言権のないＰＴＴ端末がＰＴＴサーバーに活動報告パケットを周期的に送信し、遊休状態のＰＴＴサーバーはセッションの設定された全てのＰＴＴ端末に発言権遊休パケットを周期的に送信し、前記活動報告と発言権遊休パケットとが所定時間受信されないと、該当ＰＴＴ端末とＰＴＴサーバーがそれぞれセッションを終了することにより、前記ＰＴＴ端末とＰＴＴサーバーとは周期的に同期を確認することができる。【選択図】  図１
2006042362.tif 000002
【特許請求の範囲】
【請求項１】
ＲＴＰ（Ｒｅａｌ−ｔｉｍｅ  Ｔｒａｎｓｐｏｒｔ  Ｐｒｏｔｏｃｏｌ）パケットの受信中にＲＴＣＰ（ＲＴＰ  Ｃｏｎｔｒｏｌ  Ｐｒｏｔｏｃｏｌ）パケットを送信し、前記ＲＴＰパケット又はＲＴＣＰパケットが所定時間受信されないと、セッション（ｓｅｓｓｓｉｏｎ）を終了する１つ以上のＰＴＴ端末と、
前記ＰＴＴ端末から送信されるＲＴＣＰパケットが所定時間受信されないと、該当ＰＴＴ端末とのセッションを終了し、前記ＲＴＰパケットが所定時間受信されないと、発言権遊休状態に転換するＰＴＴサーバーと、
から構成されることを特徴とするサービス陰影地域における同期化のためのＰＴＴサービスシステム。
【請求項２】
前記ＰＴＴ端末が送信するＲＴＣＰパケットが、
活動報告パケットであることを特徴とする請求項１に記載のサービス陰影地域における同期化のためのＰＴＴサービスシステム。
【請求項３】
前記ＰＴＴ端末に受信されるＲＴＣＰパケットが、
発言権遊休パケットであることを特徴とする請求項１に記載のサービス陰影地域における同期化のためのＰＴＴサービスシステム。
【請求項４】
１つ以上の端末とサーバーとのセッションが設定されたＰＴＴサービスシステムにおいて、
ＲＴＣＰパケットが所定時間受信されないと、サーバーと端末間のセッションを終了することを特徴とするサービス陰影地域における同期化のためのＰＴＴサービス方法。
【請求項５】
前記ＲＴＣＰパケットが、
前記端末がサーバーに送信する活動報告パケットと、
前記サーバーが端末に送信する発言権遊休パケットとから構成されることを特徴とする請求項４に記載のサービス陰影地域における同期化のためのＰＴＴサービス方法。
【請求項６】
ＲＴＣＰパケットが所定時間受信されないと、セッションを終了するか、又は遊休状態に転換する過程をさらに含むことを特徴とする請求項４に記載のサービス陰影地域における同期化のためのＰＴＴサービス方法。
【請求項７】
１つ以上のＰＴＴ端末とＰＴＴサーバーとのセッションが設定されたＰＴＴサービスシステムにおいて、
前記ＰＴＴ端末とＰＴＴサーバー間にＲＴＣＰパケットを送受信する過程と、
前記ＲＴＣＰパケットが所定時間受信されないと、該当ＰＴＴ端末とＰＴＴサーバー間のセッションを終了する過程と、
から構成されることを特徴とするサービス陰影地域における同期化のためのＰＴＴサービス方法。
【請求項８】
前記ＲＴＣＰパケットが、
発言権のないＰＴＴ端末が該ＰＴＴサーバーに送信する活動報告パケットと、
遊休状態のＰＴＴサーバーがＰＴＴ端末に送信する発言権遊休パケットとから構成されることを特徴とする請求項７に記載のサービス陰影地域における同期化のためのＰＴＴサービス方法。
【請求項９】
１つ以上のＰＴＴ端末とＰＴＴサーバーとのセッションが設定されたＰＴＴサービスシステムにおいて、
発言権のないＰＴＴ端末は、同期を含む活動報告パケットをＲＴＣＰパケットとして前記ＰＴＴサーバーに送信する過程と、
発言権のあるＰＴＴ端末は、音声及びデータをＲＴＰパケットとして送信する過程と、
から構成されることを特徴とするサービス陰影地域における同期化のためのＰＴＴサービス方法。
【請求項１０】
前記活動報告パケット又はＲＴＰパケットが所定時間受信されないと、前記ＰＴＴサーバーは、該当ＰＴＴ端末とのセッションを終了するか、又は発言権遊休状態に転換する過程をさらに含むことを特徴とする請求項９に記載のサービス陰影地域における同期化のためのＰＴＴサービス方法。
【請求項１１】
１つ以上のＰＴＴ端末とＰＴＴサーバーとのセッションが設定され、かつ遊休状態であるＰＴＴサービスシステムにおいて、
前記ＰＴＴ端末が前記ＰＴＴサーバーに活動報告パケットをＲＴＣＰパケットとして送信する過程と、
前記ＰＴＴサーバーが各ＰＴＴ端末に発言権遊休パケットをＲＴＣＰパケットとして送信する過程と、
から構成されることを特徴とするサービス陰影地域における同期化のためのＰＴＴサービス方法。
【請求項１２】
前記活動報告パケットが所定時間受信されないと、前記ＰＴＴサーバーが該当ＰＴＴ端末とのセッションを終了する過程と、
前記発言権遊休パケットが所定時間受信されないと、前記ＰＴＴ端末が前記ＰＴＴサーバーとのセッションを終了する過程とをさらに含むことを特徴とする請求項１１に記載のサービス陰影地域における同期化のためのＰＴＴサービス方法。
【請求項１３】
発言権のある第１ＰＴＴ端末から受信したＲＴＰパケットを第２ＰＴＴ端末に送信する過程と、
前記第２ＰＴＴ端末から活動報告パケットを受信する過程と、
前記活動報告パケットが所定時間受信されないと、前記第２ＰＴＴ端末がサービス陰影地域に移動したと判断する過程と、
前記第２ＰＴＴ端末とのセッションを終了する過程と、
から構成されることを特徴とするサービス陰影地域における同期化のためのＰＴＴサービス方法。
【請求項１４】
前記ＲＴＰパケットが所定時間受信されないと、前記第１ＰＴＴ端末がサービス陰影地域に移動したと判断する過程と、
前記第１ＰＴＴ端末の発言権を解除し、該発言権の解除を第２ＰＴＴ端末に通知する過程と、
前記第１ＰＴＴ端末とのセッションを終了する過程とをさらに含むことを特徴とする請求項１３に記載のサービス陰影地域における同期化のためのＰＴＴサービス方法。
【請求項１５】
前記活動報告パケットが、
ＲＴＣＰパケットであることを特徴とする請求項１３に記載のサービス陰影地域における同期化のためのＰＴＴサービス方法。
【請求項１６】
遊休状態のＰＴＴサーバーがセッションの設定された全てのＰＴＴ端末に発言権遊休パケットを送信する過程と、
前記ＰＴＴ端末から活動報告パケットを受信する過程と、
特定ＰＴＴ端末から活動報告パケットが所定時間受信されないと、該当ＰＴＴ端末とのセッションを終了する過程と、
から構成されることを特徴とするサービス陰影地域における同期化のためのＰＴＴサービス方法。
【請求項１７】
前記セッションの終了後、セッションが設定されたＰＴＴ端末が１つであると、該当ＰＴＴ端末とのセッションも終了する過程をさらに含むことを特徴とする請求項１６に記載のサービス陰影地域における同期化のためのＰＴＴサービス方法。
【請求項１８】
前記発言権遊休パケットと活動報告パケットが、
ＲＴＣＰパケットであることを特徴とする請求項１６に記載のサービス陰影地域における同期化のためのＰＴＴサービス方法。
【請求項１９】
ＰＴＴサーバーから送信される発言権遊休パケットを受信する過程と、
前記ＰＴＴサーバーに活動報告パケットを送信する過程と、
前記発言権遊休パケットが所定時間受信されないと、前記ＰＴＴサーバーとのセッションを終了する過程と、
から構成されることを特徴とするサービス陰影地域における同期化のためのＰＴＴサービス方法。
【請求項２０】
前記発言権遊休パケットと活動報告パケットが、
ＲＴＣＰパケットであることを特徴とする請求項１９に記載のサービス陰影地域における同期化のためのＰＴＴサービス方法。
【発明の詳細な説明】
【技術分野】
【０００１】
本発明は、ＰＴＴ（Ｐｕｓｈ  ｔｏ  ｔａｌｋ：  以下、ＰＴＴと称する）サービスシステムに関し、特に、サービス陰影地域（Ｓｅｒｖｉｃｅ  ｓｈａｄｏｗ  ａｒｅａ）でもＰＴＴサーバーとＰＴＴ端末間の同期を維持し得るＰＴＴサービスシステムの同期化方法に関する。
【背景技術】
【０００２】
ＰＴＴは、無電機サービスのような即時通話サービスであり、端末のスイッチを押すことで相手との通話を行うことができ、ダイヤル動作や通話連結音などの不要な過程を経ずに通話ができるため、一般の移動通信サービスよりも極めて速い通信を行うことができる。また、使用者の音声及びデータを単一受信者（１−ｔｏ−１）又はグループ対話セッション（Ｓｅｓｓｉｏｎ）の設定された受信者グループ（１−ｔｏ−ｍａｎｙ）に送信することができる。
【０００３】
近来、前記ＰＴＴサービスを移動端末に適用するＰｏＣ（Ｐｕｓｈ−ｔｏ−Ｔａｌｋ  ｏｖｅｒ  Ｃｅｌｌｕｌａｒ）に対する関心が増大されることで、それらＰｏＣ端末とＰｏＣサーバーなどのシステムの開発及び通信標準化作業が活発に進行している。
【０００４】
ＰＴＴサービスシステムは、ＰＴＴサービスを呼び出すＰＴＴクライアントが格納されたＰＴＴ端末と、各種ＰＴＴサービスを実現可能にＰＴＴ端末間のセッションの設定と音声及びデータの伝送を制御するＰＴＴサーバーとから構成される。
【０００５】
前記ＰＴＴサービスを実現し、発言権を獲得するために、前記ＰＴＴ端末は、前記ＰＴＴサーバーを通じて前記ＰＴＴサービスに参加する他のＰＴＴ端末とセッションを設定する。かつ、前記ＰＴＴ端末は、前記ＰＴＴサーバーとＳＩＰ（Ｓｅｓｓｉｏｎ  Ｉｎｉｔｉａｔｉｏｎ  Ｐｒｏｔｏｃｏｌ）メッセージ（ＩＮＶＩＴＥ，  ２００  ＯＫ）を送受信することによりセッションを設定し、前記ＰＴＴ端末が送信したＩＮＶＩＴＥメッセージを参照して、前記ＰＴＴサーバーは他のＰＴＴ端末とＳＩＰメッセージ（ＩＮＶＩＴＥ，  ２００  ＯＫ）を送受信することによりセッションを設定する。
また、前記ＰＴＴサーバーは、発言権を要求したＰＴＴ端末に発言権を承認するメッセージ（Ｆｌｏｏｒ  Ｇｒａｎｔ）を送信し、他のＰＴＴ端末に発言権を獲得した端末のＩＤを通知するメッセージ（Ｆｌｏｏｒ  Ｔａｋｅｎ）を送信する。
【０００６】
また、使用者が前記ＰＴＴ端末を利用して送信する音声及びデータは、ＲＴＰ（Ｒｅａｌ−ｔｉｍｅ  Ｔｒａｎｓｐｏｒｔ  Ｐｒｏｔｏｃｏｌ）パケットとして前記ＰＴＴサーバーを通じて他のＰＴＴ端末に送信され、前記ＰＴＴ端末の発言が終了すると、前記ＰＴＴサーバーは全てのＰＴＴ端末に発言権が解除されたことを通知するメッセージ（Ｆｌｏｏｒ  Ｉｄｌｅ）を伝送する。ここで、前記ＲＴＰは、リアルタイムでデータを送信するためのプロトコルであり、一般に、ＩＰ（Ｉｎｔｅｒｎｅｔ  Ｐｒｏｔｏｃｏｌ）ネットワークにおいて音声や映像を送信するために使用される。
【０００７】
前記ＰＴＴ端末とＰＴＴサーバーが該当のセッションを維持及び終了するためには同期させる必要があり、ＰＴＴサービス規格では、前記ＳＩＰのセッションタイムを利用して前記ＰＴＴ端末とＰＴＴサーバーとを互いに同期させる。前記ＰＴＴ端末は、前記ＰＴＴサーバーとセッションを設定するためにＳＩＰメッセージを送受信し、サービスに参加中のＰＴＴ端末のセッション維持のためにセッションタイマーの満了以前にＳＩＰメッセージ（Ｕｐｄａｔｅ）を前記ＰＴＴサーバーに伝送する。しかしながら、前記ＳＩＰメッセージのサイズが大きいため、前記セッションタイムを短く設定することができず、一般に数分から数十分間に設定される。
【０００８】
従来の同期化方法では、前記ＰＴＴ端末がサービス陰影地域に位置するためこれ以上サービスを維持することができない場合、前記セッションタイムの間、前記ＰＴＴサーバーが前記ＰＴＴ端末の状態を感知することができないので、継続的にＲＴＰパケットを送信する。
【０００９】
従って、従来の同期化方法は、前記セッションタイムの間、前記ＰＴＴ端末とＰＴＴサーバーが互いに同期が合わないため、不要なトラヒックが発生し、前記ＰＴＴ端末がサービスを終了した後も前記ＰＴＴサーバーはサービスを提供することにより、前記ＰＴＴ端末が他の呼を実行し得ないという問題があった。
【００１０】
すなわち、発言権のあるＰＴＴ端末がサービス陰影地域に移動すると、前記ＰＴＴサーバーは、前記ＰＴＴ端末からＲＴＰパケットが所定時間受信されなかったことを確認することにより、前記ＰＴＴ端末がサービス地域から外れたことを確認することができる。しかしながら、前記発言権のあるＰＴＴ端末ではなく発言を聴取していたＰＴＴ端末がサービス陰影地域に移動すると、前記ＰＴＴサーバーは、前記セッションタイムが終了するまで前記ＰＴＴ端末がサービス地域から外れたことを確認することができない。よって、陰影地域に移動した端末が使用者によりセッションが終了されたとしても、セッションに参加中の他の端末はこのことが分からないため、使用者間の誤解が生じる可能性があり、サービスの質的水準が低下する恐れがあった。
【００１１】
従って、従来の同期化方法は、ＰＴＴサーバーがＰＴＴ端末を効率的に管理することができず、セッションが既に解除された端末に継続してトラヒックが発生するため、ネットワーク資源が浪費されるという問題があった。
【発明の開示】
【発明が解決しようとする課題】
【００１２】
本発明の目的は、サービス陰影地域においてデータが送受信されない場合も、ＰＴＴサーバーとＰＴＴ端末とを同期させることができるサービス陰影地域における同期化のためのＰＴＴサービスシステム及び方法を提供することにある。
【００１３】
本発明の他の目的は、サイズの小さいＲＴＣＰパケットを利用してＰＴＴサーバーとＰＴＴ端末間を同期させることができるサービス陰影地域における同期化のためのＰＴＴサービスシステム及び方法を提供することにある。
【課題を解決するための手段】
【００１４】
このような目的を達成するために、本発明に係るサービス陰影地域における同期化のためのＰＴＴサービスシステムにおいては、ＲＴＰパケットの受信中にＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）パケットを送信し、前記ＲＴＰパケット又はＲＴＣＰパケットが所定時間受信されないと、セッションを終了する１つ以上のＰＴＴ端末と、該ＰＴＴ端末から送信されるＲＴＣＰパケットが所定時間受信されないと、該当ＰＴＴ端末とのセッションを終了し、前記ＲＴＰパケットが所定時間受信されないと、発言権遊休状態に転換するＰＴＴサーバーと、から構成されることを特徴とする。
【００１５】
このような目的を達成するために、１つ以上の端末とサーバーとのセッションが設定されたＰＴＴサービスシステムにおいて、本発明に係るサービス陰影地域における同期化のためのＰＴＴサービスシステムは、ＲＴＣＰパケットが所定時間受信されないと、サーバーと端末間のセッションを終了することを特徴とする。
【００１６】
このような目的を達成するために、１つ以上のＰＴＴ端末とＰＴＴサーバーとのセッションが設定されたＰＴＴサービスシステムにおいて、本発明に係るサービス陰影地域における同期化のためのＰＴＴサービス方法は、前記ＰＴＴ端末とＰＴＴサーバー間にＲＴＣＰパケットを送受信する過程と、前記ＲＴＣＰパケットが所定時間受信されないと、該当ＰＴＴ端末とＰＴＴサーバー間のセッションを終了する過程と、から構成されることを特徴とする。
【００１７】
かつ、このような目的を達成するために、１つ以上のＰＴＴ端末とＰＴＴサーバーとがセッションの設定されたＰＴＴサービスシステムにおいて、本発明に係るサービス陰影地域における同期化のためのＰＴＴサービス方法は、発言権のないＰＴＴ端末は、同期を含む活動報告パケットをＲＴＣＰパケットとして前記ＰＴＴサーバーに送信する過程と、発言権のあるＰＴＴ端末は、音声及びデータをＲＴＰパケットとして送信する過程と、から構成されることを特徴とする。
【００１８】
また、このような目的を達成するために、１つ以上のＰＴＴ端末とＰＴＴサーバーとがセッションが設定され、かつ遊休状態であるＰＴＴサービスシステムにおいて、  本発明に係るサービス陰影地域における同期化のためのＰＴＴサービス方法は、前記ＰＴＴ端末が前記ＰＴＴサーバーに活動報告パケットをＲＴＣＰパケットとして送信する過程と、前記ＰＴＴサーバーが各ＰＴＴ端末に発言権遊休パケットをＲＴＣＰパケットとして送信する過程と、から構成されることを特徴とする。
【００１９】
また、このような目的を達成するために、本発明に係るサービス陰影地域における同期化のためのＰＴＴサービス方法は、発言権のある第１ＰＴＴ端末から受信したＲＴＰパケットを第２ＰＴＴ端末に送信する過程と、前記第２ＰＴＴ端末から活動報告パケットを受信する過程と、前記活動報告パケットが所定時間受信されないと、前記第２ＰＴＴ端末がサービス陰影地域に移動したと判断する過程と、前記第２ＰＴＴ端末とのセッションを終了する過程と、から構成されることを特徴とする。
【００２０】
また、このような目的を達成するために、本発明に係るサービス陰影地域における同期化のためのＰＴＴサービス方法は、遊休状態のＰＴＴサーバーとセッションが設定された全てのＰＴＴ端末に発言権遊休パケットを送信する過程と、前記ＰＴＴ端末から活動報告パケットを受信する過程と、特定ＰＴＴ端末から活動報告パケットが所定時間受信されないと、該当ＰＴＴ端末とのセッションを終了する過程と、から構成されることを特徴とする。
【００２１】
また、このような目的を達成するために、本発明に係るサービス陰影地域における同期化のためのＰＴＴサービス方法は、ＰＴＴサーバーから送信される発言権遊休パケットを受信する過程と、前記ＰＴＴサーバーに活動報告パケットを送信する過程と、前記発言権遊休パケットが所定時間受信されないと、前記ＰＴＴサーバーとのセッションを終了する過程と、から構成されることを特徴とする。
【００２２】
上記目的を達成するために、本発明は、例えば、以下の手段を提供する。
（項目１）
ＲＴＰ（Ｒｅａｌ−ｔｉｍｅ  Ｔｒａｎｓｐｏｒｔ  Ｐｒｏｔｏｃｏｌ）パケットの受信中にＲＴＣＰ（ＲＴＰ  Ｃｏｎｔｒｏｌ  Ｐｒｏｔｏｃｏｌ）パケットを送信し、前記ＲＴＰパケット又はＲＴＣＰパケットが所定時間受信されないと、セッション（ｓｅｓｓｓｉｏｎ）を終了する１つ以上のＰＴＴ端末と、
前記ＰＴＴ端末から送信されるＲＴＣＰパケットが所定時間受信されないと、該当ＰＴＴ端末とのセッションを終了し、前記ＲＴＰパケットが所定時間受信されないと、発言権遊休状態に転換するＰＴＴサーバーと、
から構成されることを特徴とするサービス陰影地域における同期化のためのＰＴＴサービスシステム。
（項目２）     
前記ＰＴＴ端末が送信するＲＴＣＰパケットが、
活動報告パケットであることを特徴とする項目１に記載のサービス陰影地域における同期化のためのＰＴＴサービスシステム。
（項目３）
前記ＰＴＴ端末に受信されるＲＴＣＰパケットが、
発言権遊休パケットであることを特徴とする項目１に記載のサービス陰影地域における同期化のためのＰＴＴサービスシステム。
（項目４）
１つ以上の端末とサーバーとのセッションが設定されたＰＴＴサービスシステムにおいて、
ＲＴＣＰパケットが所定時間受信されないと、サーバーと端末間のセッションを終了することを特徴とするサービス陰影地域における同期化のためのＰＴＴサービス方法。
（項目５）
前記ＲＴＣＰパケットが、
前記端末がサーバーに送信する活動報告パケットと、
前記サーバーが端末に送信する発言権遊休パケットとから構成されることを特徴とする項目４に記載のサービス陰影地域における同期化のためのＰＴＴサービス方法。
（項目６）
ＲＴＣＰパケットが所定時間受信されないと、セッションを終了するか、又は遊休状態に転換する過程をさらに含むことを特徴とする項目４に記載のサービス陰影地域における同期化のためのＰＴＴサービス方法。
（項目７）
１つ以上のＰＴＴ端末とＰＴＴサーバーとのセッションが設定されたＰＴＴサービスシステムにおいて、
前記ＰＴＴ端末とＰＴＴサーバー間にＲＴＣＰパケットを送受信する過程と、
前記ＲＴＣＰパケットが所定時間受信されないと、該当ＰＴＴ端末とＰＴＴサーバー間のセッションを終了する過程と、
から構成されることを特徴とするサービス陰影地域における同期化のためのＰＴＴサービス方法。
（項目８）
前記ＲＴＣＰパケットが、
発言権のないＰＴＴ端末が該ＰＴＴサーバーに送信する活動報告パケットと、
遊休状態のＰＴＴサーバーがＰＴＴ端末に送信する発言権遊休パケットとから構成されることを特徴とする項目７に記載のサービス陰影地域における同期化のためのＰＴＴサービス方法。
（項目９）
１つ以上のＰＴＴ端末とＰＴＴサーバーとのセッションが設定されたＰＴＴサービスシステムにおいて、
発言権のないＰＴＴ端末は、同期を含む活動報告パケットをＲＴＣＰパケットとして前記ＰＴＴサーバーに送信する過程と、
発言権のあるＰＴＴ端末は、音声及びデータをＲＴＰパケットとして送信する過程と、
から構成されることを特徴とするサービス陰影地域における同期化のためのＰＴＴサービス方法。
（項目１０）
前記活動報告パケット又はＲＴＰパケットが所定時間受信されないと、前記ＰＴＴサーバーは、該当ＰＴＴ端末とのセッションを終了するか、又は発言権遊休状態に転換する過程をさらに含むことを特徴とする項目９に記載のサービス陰影地域における同期化のためのＰＴＴサービス方法。
（項目１１）
１つ以上のＰＴＴ端末とＰＴＴサーバーとのセッションが設定され、かつ遊休状態であるＰＴＴサービスシステムにおいて、
前記ＰＴＴ端末が前記ＰＴＴサーバーに活動報告パケットをＲＴＣＰパケットとして送信する過程と、
前記ＰＴＴサーバーが各ＰＴＴ端末に発言権遊休パケットをＲＴＣＰパケットとして送信する過程と、
から構成されることを特徴とするサービス陰影地域における同期化のためのＰＴＴサービス方法。
（項目１２）
前記活動報告パケットが所定時間受信されないと、前記ＰＴＴサーバーが該当ＰＴＴ端末とのセッションを終了する過程と、
前記発言権遊休パケットが所定時間受信されないと、前記ＰＴＴ端末が前記ＰＴＴサーバーとのセッションを終了する過程とをさらに含むことを特徴とする項目１１に記載のサービス陰影地域における同期化のためのＰＴＴサービス方法。
（項目１３）
発言権のある第１ＰＴＴ端末から受信したＲＴＰパケットを第２ＰＴＴ端末に送信する過程と、
前記第２ＰＴＴ端末から活動報告パケットを受信する過程と、
前記活動報告パケットが所定時間受信されないと、前記第２ＰＴＴ端末がサービス陰影地域に移動したと判断する過程と、
前記第２ＰＴＴ端末とのセッションを終了する過程と、
から構成されることを特徴とするサービス陰影地域における同期化のためのＰＴＴサービス方法。
（項目１４）
前記ＲＴＰパケットが所定時間受信されないと、前記第１ＰＴＴ端末がサービス陰影地域に移動したと判断する過程と、
前記第１ＰＴＴ端末の発言権を解除し、該発言権の解除を第２ＰＴＴ端末に通知する過程と、
前記第１ＰＴＴ端末とのセッションを終了する過程とをさらに含むことを特徴とする項目１３に記載のサービス陰影地域における同期化のためのＰＴＴサービス方法。
（項目１５）
前記活動報告パケットが、
ＲＴＣＰパケットであることを特徴とする項目１３に記載のサービス陰影地域における同期化のためのＰＴＴサービス方法。
（項目１６）
遊休状態のＰＴＴサーバーがセッションの設定された全てのＰＴＴ端末に発言権遊休パケットを送信する過程と、
前記ＰＴＴ端末から活動報告パケットを受信する過程と、
特定ＰＴＴ端末から活動報告パケットが所定時間受信されないと、該当ＰＴＴ端末とのセッションを終了する過程と、
から構成されることを特徴とするサービス陰影地域における同期化のためのＰＴＴサービス方法。
（項目１７）
前記セッションの終了後、セッションが設定されたＰＴＴ端末が１つであると、該当ＰＴＴ端末とのセッションも終了する過程をさらに含むことを特徴とする項目１６に記載のサービス陰影地域における同期化のためのＰＴＴサービス方法。
（項目１８）
前記発言権遊休パケットと活動報告パケットが、
ＲＴＣＰパケットであることを特徴とする項目１６に記載のサービス陰影地域における同期化のためのＰＴＴサービス方法。
（項目１９）
ＰＴＴサーバーから送信される発言権遊休パケットを受信する過程と、
前記ＰＴＴサーバーに活動報告パケットを送信する過程と、
前記発言権遊休パケットが所定時間受信されないと、前記ＰＴＴサーバーとのセッションを終了する過程と、
から構成されることを特徴とするサービス陰影地域における同期化のためのＰＴＴサービス方法。
（項目２０）
前記発言権遊休パケットと活動報告パケットが、
ＲＴＣＰパケットであることを特徴とする項目１９に記載のサービス陰影地域における同期化のためのＰＴＴサービス方法。
【発明の効果】
【００２３】
本発明に係るサービス陰影地域における同期化のためのＰＴＴサービスシステム及び方法においては、極めて小型のＲＴＣＰパケットを利用して周期的にＰＴＴサーバーとＰＴＴ端末間の同期を確認することにより、音声及びデータの品質を維持すると同時に、同期の不一致により発生する不要のトラヒックを減少させることができるという効果がある。
【００２４】
また、本発明に係るサービス陰影地域における同期化のためのＰＴＴサービスシステム及び方法においては、ＲＴＣＰパケットを利用して前記ＰＴＴサーバーとＰＴＴ端末とが互いに活動を迅速に感知することで、前記ＰＴＴ端末がサービス陰影地域から外れた場合も同期を維持することができるという効果がある。
【００２５】
また、本発明に係るサービス陰影地域における同期化のためのＰＴＴサービスシステム及び方法においては、ＲＴＣＰパケットが所定時間受信されないと、前記ＰＴＴサーバーとＰＴＴ端末とがそれぞれセッション解除手順を行うことにより、ネットワーク資源の浪費を減少させることができるという効果がある。
【発明を実施するための最良の形態】
【００２６】
以下、図面を参照して本発明に係るサービス陰影地域における同期化のためのＰＴＴサービスシステム及び方法の実施形態を説明する。
【００２７】
本発明は、ＳＩＰのセッションタイマー及び非常に小型のＲＴＣＰパケットを利用してＰＴＴサーバーとＰＴＴ端末間を同期させ、前記ＰＴＴサーバーとＰＴＴ端末間に約束された時間内に前記ＲＴＣＰパケットが受信されないと、前記ＰＴＴサーバーとＰＴＴ端末とがそれぞれサービス解除手順を行うことにより、前記ＰＴＴ端末とＰＴＴサーバー間に同期を維持させる。
【００２８】
図１は、本発明に係る同期化方法の第１実施形態を示すフローチャートであり、ＰＴＴサーバーとＰＴＴ端末間にセッションが設定された後、同期させる過程を示す。
【００２９】
ＰＴＴサービスシステムは、ＰＴＴサービスを実現するためのＰＴＴクライアントを格納している第１ＰＴＴ端末１１０及び第２ＰＴＴ端末１２０と、それら第１ＰＴＴ端末１１０及び第２ＰＴＴ端末１２０のセッションの管理、音声及びデータの送信を制御及び仲裁するＰＴＴサーバー２００とから構成される。
【００３０】
それら第１及び第２ＰＴＴ端末１１０、１２０とＰＴＴサーバー２００間を同期させるために、第１及び第２ＰＴＴ端末１１０、１２０とＰＴＴサーバー２００とは、周期的にＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）パケットを送信する。かつ、前記ＲＴＣＰパケットの送信周期は、ＲＴＰパケットとして送信される音声及びデータの品質に影響を与えないように通信ネットワークによって流動的に適用され、通常３秒程度に短く設定される。
【００３１】
ここで、前記ＲＴＣＰは、ＲＴＰを使用するとき、ＲＴＰパケットに対する制御用プロトコルとして、ＳＲ（Ｓｅｎｄｅｒ  Ｒｅｐｏｒｔ）、ＲＲ（Ｒｅｃｅｉｖｅｒ  Ｒｅｐｏｒｔ）、ＢＹＥなどのパケットを利用して前記ＲＴＰを制御し、ＡＰＰ（Ａｐｐｌｉｃａｔｉｏｎ）パケットを利用してアプリケーションレベルで付加的に多様な応用制御が可能である。第１及び第２ＰＴＴ端末１１０、１２０は、ＲＴＣＰアプリケーションパケットを利用した活動報告パケット（Ａｌｉｖｅ  Ｒｅｐｏｒｔ  Ｐａｃｋｅｔ）をＰＴＴサーバー２００に送信し、パケットが送受信されない遊休状態でＰＴＴサーバー２００は全てのＰＴＴ端末１１０、１２０に発言権遊休パケットを周期的に送信する。
【００３２】
また、第１及び第２ＰＴＴ端末１１０、１２０とＰＴＴサーバー２００が予め設定された時間の間ＲＴＣＰパケットを受信しないと、それら第１及び第２ＰＴＴ端末１１０、１２０とＰＴＴサーバー２００とは、それぞれサービス解除手続きを実行する。
【００３３】
以下、図１に基づいて、ＰＴＴサーバーとＰＴＴ端末間の同期化方法を詳細に説明する。
【００３４】
まず、第１ＰＴＴ端末１１０が発言権を獲得していると仮定すると、第１ＰＴＴ端末１１０はＰＴＴサーバー２００にＳＩＰメッセージを送信してセッションを設定し、ＰＴＴサーバー２００が第２ＰＴＴ端末１２０にＳＩＰメッセージを送信してセッションを設定することにより、第１ＰＴＴ端末１１０と第２ＰＴＴ端末１２０間の音声及びデータの送信を可能にする。
【００３５】
次いで、ＰＴＴサーバー２００は、第１ＰＴＴ端末１１０に発言権を承認するメッセージ（Ｆｌｏｏｒ  Ｇｒａｎｔ）を送信し（Ｓ１１）、第２ＰＴＴ端末１２０に第１ＰＴＴ端末１１０のＩＤを通知するメッセージ（Ｆｌｏｏｒ  Ｔａｋｅｎ）を送信する（Ｓ１２）。
【００３６】
次いで、使用者が第１ＰＴＴ端末１１０に入力する音声及びデータはＲＴＰパケットとしてＰＴＴサーバー２００に送信され、ＰＴＴサーバー２００は、前記音声及びデータをＲＴＰパケットとして第２端末１２０に送信する（Ｓ１３）。ここで、ＲＴＰパケットを送信する第１ＰＴＴ端末１１０は、送信する音声及びデータの品質に影響を与えないために、前記ＲＴＰパケットを除いた他のパケットはＰＴＴサーバー２００に送信しない。
【００３７】
次いで、ＰＴＴサーバー２００からＲＴＰパケットを受信する第２ＰＴＴ端末１２０は、ＰＴＴサーバー２００とを同期させるために、周期的に活動報告パケットをＰＴＴサーバー２００に送信する（Ｓ１４）。ここで、前記活動報告パケットの送信周期を３秒とする。
【００３８】
次いで、第１ＰＴＴ端末１１０がサービス陰影地域に移動すると、ＰＴＴサーバー２００は、第１ＰＴＴ端末１１０が送信するＲＴＰパケットを受信することができなくなる（Ｓ１５）。かつ、ＰＴＴサーバー２００の第１ＰＴＴ端末１１０からＲＴＰパケットを受信し得ない状態が所定時間維持されると、ＰＴＴサーバー２００は、第１ＰＴＴ端末１１０に何らかの問題が発生したと判断し、他の端末に発言権所有の機会を提供するために、第１ＰＴＴ端末１１０及び第２ＰＴＴ端末１２０に遊休状態になったことを通知するメッセージ（Ｆｌｏｏｒ  Ｉｄｌｅ）を送信する（Ｓ１６）。ここで、前記所定時間は、ＲＴＣＰの活動報告パケットが受信されない所定時間とは区分され、約４〜５秒程度である。      
【００３９】
また、第１ＰＴＴ端末１１０が継続してサービス陰影地域に留まる場合、図３に示すフローチャートにより、ＰＴＴサーバー２００は遊休状態の第１ＰＴＴ端末１１０から所定時間活動報告パケットが受信されないと、第１ＰＴＴ端末１１０がサービス陰影地域に移動したと判断することで、第１ＰＴＴ端末１１０のセッションを終了する。
【００４０】
該第１ＰＴＴ端末１１０は、自体の無線区間の同期化方法を通じてサービス陰影地域に移動したと判断することで、前記ＲＴＰパケット送信を終了し、該当セッションを終了する。
【００４１】
図２は、本発明に係る同期化方法の第２実施形態を示すフローチャートであり、第２ＰＴＴ端末がサービス陰影地域に移動するケースである。
【００４２】
図示されたように、ＰＴＴサーバー２００を通じて第１ＰＴＴ端末１１０から送信されるＲＴＰパケットを受信する第２ＰＴＴ端末１２０は、約３秒の周期でＰＴＴサーバー２００に活動報告パケットを送信する（Ｓ２１）。
【００４３】
次いで、第２ＰＴＴ端末１２０がサービス陰影地域に移動すると、ＰＴＴサーバー２００は、第２ＰＴＴ端末１２０から送信する活動報告パケットを受信することができなくなる（Ｓ２２）。よって、ＰＴＴサーバー２００が所定時間活動報告パケットを受信しないと、ＰＴＴサーバー２００は、第２ＰＴＴ端末１２０がサービス地域から外れたと判断して第２ＰＴＴ端末１２０とのセッションを終了する（Ｓ２３）。ここで、セッションに参加中の端末が第１ＰＴＴ端末１１０のみであると、これ以上セッションに意味がないので、第１ＰＴＴ端末１１０とのセッションも終了して該当呼を完全に終了し（Ｓ２４）、セッションに参加中の第３の端末が存在すると、第１ＰＴＴ端末１１０と第３の端末間の通話は可能であるため、該当セッションは継続して維持される。
【００４４】
次いで、第２ＰＴＴ端末１２０は、前記自体の無線区間の同期化方法とＰＴＴサーバー２００からＲＴＰパケットが伝送されない状態とによってサービス陰影地域に移動したと判断し、サーバー２００とのセッションを終了する。
【００４５】
図３は、本発明に係る同期化方法の第３実施形態を示すフローチャートであり、遊休状態の場合の同期化方法を示したものである。
【００４６】
図示されたように、第１ＰＴＴ端末１１０及び第２ＰＴＴ端末１２０がそれぞれＰＴＴサーバー２００とのセッションは設定されているが、パケットは送受信されない遊休状態である場合、ＰＴＴサーバー２００は、第１ＰＴＴ端末１１０及び第２ＰＴＴ端末１２０に発言権遊休（Ｆｌｏｏｒ  Ｉｄｌｅ）パケットを周期的に送信し（Ｓ３１）、第１ＰＴＴ端末１１０及び第２ＰＴＴ端末１２０は、活動報告パケットをＰＴＴサーバー２００に周期的に送信する（Ｓ３２）。
【００４７】
次いで、第１ＰＴＴ端末１１０又は第２ＰＴＴ端末１２０がサービス陰影地域に移動したため、前記発言権遊休パケットが所定時間受信されないと、該当ＰＴＴ端末１１０、１２０は、ＰＴＴサーバー２００とのセッションを終了する（Ｓ３３）。
【００４８】
また、ＰＴＴサーバー２００は、第１及び第２ＰＴＴ端末１１０、１２０が送信する活動報告パケットが所定時間受信されないと、第１及び第２ＰＴＴ端末１１０、１２０がサービス地域から外れたと判断して該当第１及び第２ＰＴＴ端末１１０、１２０とのセッションを終了する（Ｓ３４）。
【００４９】
ここで、前記発言権遊休パケットと活動報告パケットが１５秒程度受信されないと、各第１及び第２ＰＴＴ端末１１０、１２０とＰＴＴサーバー２００とはセッションの終了過程を行い、その時間は通信ネットワークによって流動的に適用される。
【００５０】
本発明において、発言権のないＰＴＴ端末は、ＰＴＴサーバー２００に活動報告パケットを周期的に送信し、サービスネットワークが遊休状態である場合、ＰＴＴサーバー２００は、発言権遊休パケットをセッションの設定されたＰＴＴ端末に周期的に送信する。ここで、前記活動報告パケット及び発言権遊休パケットは、ＲＴＣＰパケットとして送信する。
【００５１】
図４は、本発明に係る活動報告パケットのフォーマットを示す構造図であり、活動報告パケットを定義する新しいサブタイプフィールド値を有するＲＴＣＰパケットである。
【００５２】
図示されたように、前記活動報告パケットは２ビットでバージョンを定義するフィールド（Ｖ＝２）と、パッディングオクテット（ｐａｄｄｉｎｇ  ｏｃｔｅｔ）を含んでいるか否かを定義するフィールド「Ｐ」と、前記ＲＴＣＰのアプリケーションパケットを定義するパケットタイプフィールド「ＰＴ＝ＡＰＰ＝２０４」と、前記活動報告パケットを定義するサブタイプフィールド「Ｓｕｂｔｙｐｅ」と、前記活動報告パケットを送信するＰＴＴ端末の同期を定義するＳＳＣＲ（Ｓｙｎｃｈｒｏｎｉｚａｔｉｏｎ）フィールド「ＳＳＣＲ  ｏｆ  ＵＥ」と、前記ＳＳＣＲから最後のデータの長さを定義する長さフィールド「Ｌｅｎｇｔｈ」と、ネーム（Ｎａｍｅ）フィールドとを含む。ここで、前記ネームフィールドは、ＰＴＴサービスを提供するサービス会社によって異なる。
【００５３】
前記ＲＴＣＰを活動報告パケットとして定義するために定義される前記サブタイプ  フィールドの値は「１１１１０」である。
【００５４】
かつ、前記ＰＴＴサーバーとＰＴＴ端末との間に送受信される発言権制御メッセージは多様であり、各発言権制御メッセージは前記サブタイプフィールドの値により区分される。例えば、「０００００」のサブタイプフィールド値は、発言権要求（Ｆｌｏｏｒ  Ｒｅｑｕｅｓｔ）を意味し、その他、「００００１」は発言権承認（Ｆｌｏｏｒ  Ｒｅｑｕｅｓｔ）を、「０００１０」は発言権を獲得したＰＴＴ端末のＩＤの通知（Ｆｌｏｏｒ  Ｔａｋｅｎ）を、「０００１１」は発言権拒否（Ｆｌｏｏｒ  Ｄｅｎｙ）を、「００１００」はＰＴＴ端末のＰＴＴサーバーに対する発言権解除の要求（Ｆｌｏｏｒ  Ｒｅｌｅａｓｅ）を、「００１０１」はＰＴＴサーバーからＰＴＴ端末への発言権解除通知（Ｆｌｏｏｒ  Ｉｄｌｅ）を、「００１１０」はＰＴＴサーバーによるＰＴＴ端末の発言権取消を意味する。
【００５５】
本発明は、前述したような発言権制御メッセージに、発言権のないＰＴＴ端末がＰＴＴサーバーに周期的に報告する活動報告パケットをさらに定義し、前記活動報告パケットのサブタイプフィールドの値は「１１１１０」と定義する。
【００５６】
以下、本発明に係る同期化方法を簡単に説明する。
【００５７】
（１）、ＰＴＴ端末が発言権を有してＲＴＰパケットを送信する場合は、ＲＴＣＰパケットを送信しないことにより、音声及びデータの品質を最上に維持する。前記発言権を有したＰＴＴ端末がサービス地域から外れているか否かは前記ＰＴＴサーバーにより判断できるためである。
【００５８】
（２）、ＰＴＴ端末が発言権を有せずにＲＴＰパケットを受信する場合は、前記ＰＴＴ端末がＰＴＴサーバーにＲＴＣＰを利用した活動報告パケットを周期的に送信する。しかしながら、前記ＰＴＴ端末から活動報告パケットが所定時間受信されないと、前記ＰＴＴサーバーは、ＰＴＴ端末がサービス地域から外れていると判断してセッションを終了する。
【００５９】
（３）、ＰＴＴサービスネットワークが遊休状態である場合、前記ＰＴＴサーバーは、各ＰＴＴ端末に発言権遊休パケットを周期的に送信し、前記ＰＴＴ端末は、前記ＰＴＴサーバーに活動報告パケットを周期的に送信する。前記ＰＴＴサーバー又はＰＴＴ端末が前記パケットを所定時間受信しないと、該当セッションを終了する。
【００６０】
以上説明したように、本発明によるサービス陰影地域における同期化のためのＰＴＴサービスシステム及び方法は、音声だけでなく映像及び各種データをＰＴＴ端末とＰＴＴサーバー  間に送信する過程にも適用することができる。
【００６１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６２】
サービス陰影地域においてデータが送受信されない場合も、ＰＴＴサーバーとＰＴＴ端末とを同期させることができ、また、小さいサイズのＲＴＣＰパケットを利用してＰＴＴサーバーとＰＴＴ端末とを同期させることができるサービス陰影地域における同期化のためのＰＴＴサービスシステム及び方法を提供する。
【００６３】
発言権のないＰＴＴ端末がＰＴＴサーバーに活動報告パケットを周期的に送信し、遊休状態のＰＴＴサーバーはセッションの設定された全てのＰＴＴ端末に発言権遊休パケットを周期的に送信し、前記活動報告と発言権遊休パケットとが所定時間受信されないと、該当ＰＴＴ端末とＰＴＴサーバーがそれぞれセッションを終了することにより、前記ＰＴＴ端末とＰＴＴサーバーとは周期的に同期を確認することができる。
【図面の簡単な説明】
【００６４】
【図１】本発明に係るＰＴＴサービスシステムの同期化方法の第１実施形態を示す信号フローチャートである。
【図２】本発明に係るＰＴＴサービスシステムの同期化方法の第２実施形態を示す信号フローチャートである。
【図３】本発明に係るＰＴＴサービスシステムの同期化方法の第３実施形態を示す信号フローチャートである。
【図４】発言権のないＰＴＴ端末が送信する活動報告パケットのフォーマットを示す構造図である。
【図１】
2006042362.tif 000003
【図２】
2006042362.tif 000004
【図３】
2006042362.tif 000005
【図４】
2006042362.tif 000006